(57)【特許請求の範囲】
【請求項１】
２ビーム光学系で、プリマスタ情報に応じてウォブル変調されるカッティング光により露光されるトラック方向に二分した２つの露光面の合成により原盤に凸面ピットを形成し、これをスタンパを介して転写することにより基板にプリマスタ情報を凸面ピットとして形成することを特徴とする光記録媒体の製造方法。
【請求項２】
上記２つの露光面の幅の和を、合成される露光面の幅よりも大とし、境界部分で重なり合うように設定することを特徴とする請求項１記載の光記録媒体の製造方法。
【発明の詳細な説明】
【０００１】
【発明の属する技術分野】
本発明は、アドレス等のプリマスタ情報がプリピットとして形成される光記録媒体に関するものであり、さらにはその製造方法に関するものである。
【０００２】
【従来の技術】
光記録媒体では、アドレス等のプリマスタ情報を予め基板にプリピットとして形成しておくことが行われている。
【０００３】
このとき、通常はカッティング露光面に凹部ピットが形成され、これが基板に転写されて基板上にも凹面ピットとしてプリマスタ情報（ピットアドレス）が形成されることになる。
【０００４】
【発明が解決しようとする課題】
ところで、プリマスタ情報が凹面ピットとして形成される光記録媒体では、情報の記録再生を行う上で様々な問題が生ずる。
【０００５】
例えば、図８に従来のランド記録におけるピットアドレスの一例（ランドでのプリピット）を示す。この場合、ピットＰはグルーブＧ間のランドＬ領域に形成されており、したがって、ランドＬが凸面、グルーブＧ及びピットＰが凹面である。
【０００６】
上記のようなランド記録のプリピットでは、ピットアドレス部はデータ部の凸面（ランド）から凹面になることで反射光量が変わり、トラッキングのためのプッシュプル信号においてもオフセットが生じてしまう。
【０００７】
したがって、オフセット補正を加えたり、ピットアドレスの位置を半径方向にシフトしてオフセットを軽減する等の工夫が必要である。あるいは、トラッキングを、オンランドからオングルーブに変更することが必要である。
【０００８】
また、ピットアドレスの形成を考えた場合、通常の露光では、短いピットの幅と長いピットの幅が違ってしまうという問題も発生する。さらに、通常の露光では、露光面に情報を記録するための光学カッティングの際の光学定数（スポット径）により解像限界が生じ、高密度記録が難しいという問題もある。
【０００９】
一方、図９に示すようなグルーブ記録におけるピットアドレスの場合、ピットＰはグルーブＧ領域に形成されており、ピットアドレス部はデータ部の凹面（グルーブ）と同じ凹面になることでプッシュプル信号においてオフセットは生じない。したがって、トラッキングは常時オングルーブでよい。
【００１０】
ただし、上記ランド記録の場合のプリピットと同様、通常の露光では、短いピットの幅と長いピットの幅が違ってしまうという問題や、高密度記録が難しいという問題はそのまま残る。
【００１１】
本発明は、このような従来の実情に鑑みて提案されたものであり、トラッキングにおけるオフセットを解消し得る光記録媒体を提供することを目的とし、さらにはその製造方法を提供することを目的とする。
【００１２】
また、本発明は、記録幅、記録長さを個別に設定することができ、例えば記録長によらず一定の記録幅で記録を行うことが可能な光記録媒体の製造方法を提供することを目的とする。
【００１３】
さらに本発明は、光学定数で決まる解像限界以下の高密度記録が可能な光記録媒体の製造方法を提供することを目的とする。
【００１４】
【課題を解決するための手段】
上述の目的を達成するために、本発明の製造方法は、２ビーム光学系で、プリマスタ情報に応じてウォブル変調されるカッティング光により露光されるトラック方向に二分した２つの露光面の合成により原盤に凸面ピットを形成し、これをスタンパを介して転写することにより基板にプリマスタ情報を凸面ピットとして形成する。
【００１５】
以上のような製造方法によれば、プリマスタ情報が基板に凸面ピットとして形成された光記録媒体を製造することができる。
【００１６】
アドレス等のプリマスタ情報がランドと同じ凸面とされることで、ランド部にもアドレスをマークとして形成でき、オフセットも解消される。
【００１７】
一方、２ビーム光学系で、ウォブル変調されるカッティング光により露光されるトラック方向に二分した２つの露光面を合成することにより凸面ピットが形成されるが、このときウォブル振り幅の設定により、消し残り部であるピットの幅、長さが任意に設定される。したがって、光学定数で決まる解像限界以下の高密度記録も可能である。
【００１８】
【発明の実施の形態】
以下、本発明を適用した光記録媒体（光ディスク）及びその製造方法について、図面を参照しながら説明する。
【００１９】
本発明の光記録媒体は、図１に示すように、ランド記録方式の光記録媒体（光ディスク）であり、ランド部１にプリマスタ情報であるピットアドレス部２が形成されている。
【００２０】
ここで、ピットアドレス部２は、ランド部１と同様、基板に凸部として形成されており、ミラー面の記録マーク（凸面ピット）として形成されている。図１において、斜線部分が基板の凹部、白抜き部分が凸部である。
【００２１】
このようにピットアドレス部２をランド部１と同様の凸面により構成することで、プッシュプル信号においてオフセットが生ずることはなく、例えばランド部は常時オンランドでのトラッキング、グルーブ部ではオングルーブでのトラッキングが可能になる。
【００２２】
上記凸面ピットとして形成されるピットアドレス部２は、例えば情報を２つの凹面の残存部分として形成することが可能であり、これにより任意の場所に任意の大きさの情報を記録することが可能である。
【００２３】
光ディスク原盤の光学カッティングにおいては、通常、レジストを露光させてグルーブを形成する。この場合、露光しない面がランドとなる。このことは、最終形状をトラック方向に二分し、それぞれの露光面（図１において、グルーブ３ａ，３ｂ）を作成し、これを合成し直すことで所望の凸面を形成できることを意味する。
【００２４】
また、スポット径よりも広いグルーブを形成する手法として、照射ビームを高速にウォブルさせることにより、グルーブ幅を照射ビームのスポット径よりも広い任意の幅に設定することが行われている。
【００２５】
本発明では、これらの技術を応用してピットアドレス部２及びランド部１を凹面の残存部分として形成する。
【００２６】
具体的には、図２に示すように、アドレス情報により変調するウォブル量をコントロールすることで、任意のグルーブを構成することができる。
【００２７】
図２において、Ａは形成されるグルーブ、Ｂは制御信号１（アドレス信号）、Ｃは制御信号２（グルーブ／ランド信号）、Ｄは変調信号（ウォブル振り幅）である。
【００２８】
このときポイントとなるのは、ＤＣから変調が可能な系とし、グルーブの一側縁は常に変動がない状態を作ることである。
【００２９】
また、図２のＥに示すように、照射ビームのウォブルの方向を逆転することにより、図２のＡに示すグルーブとは対称なグルーブを形成することができる。
【００３０】
全てのランド（凸面）はグルーブの残りとして形成されるため、図２のＡに示すグルーブと図２のＥに示すグルーブとを組み合わせることにより、任意の凸面が形成可能になる。
【００３１】
ここで、ウォブルの振り幅は、グルーブを形成するＷ１、ピットアドレス部２を形成するＷ２、ランド部１を形成するＷ３となる。なお、カッティング制御の簡易化のために、ここではＷ３＝０とした。また、上記Ｗ１、Ｗ２は同じ値にしてもよい。さらに、図２のＡに示すグルーブと図２のＥに示すグルーブの重なり幅（のりしろ幅）は、大きく取った方がマージンが広がる。
【００３２】
上記カッティングに際しては、２ビーム光学系によるカッティングを採用することが好ましい。２ビーム光学系によるカッティングを行えば、幅制御のタイミングは同じ回路系を使って行うことができ、装置の簡略化と精度の向上を図ることができる。
【００３３】
図３はカッティング光の変調のための回路ブロックを示すものである。この変調回路ブロックにおいては、システムのモード及びタイミングを制御するシステム制御部４によりランド／グルーブの切り替え及びビームシフトの変調信号が発生され、それと同期してアドレス発生回路５によりアドレス信号が発生する。
【００３４】
これらの信号を受け、外部から設定された変調量Ｗ１，Ｗ２，Ｗ３，Ｗ４に相当する変調信号を変調信号生成回路６が作り出す。この変調信号がカッティング光学系の変調器７に送られ、ビームに対して所定の変調が行われる。図４に、上記により変調されたビームスポットＬＢの軌跡と露光エリアの関係を示す。
【００３５】
図５には、２ビーム光学系で１本のトラックを形成し、これをスパイラル構造としたときのトラックの最終形態を示してある。
【００３６】
この例では、トラック間の重なり領域（のりしろ）をＷ６とし、ｎトラックとｎ＋１トラックの露光面を一部重ね合わせることで、トラック送り誤差を吸収している。
【００３７】
こうして形成されたトラックにおいては、トラックピッチＰに対して、ランド幅Ｌ＝Ｐ−２×Ｗ３、マークの幅Ｍ＝Ｐ−２×Ｗ２、グルーブの幅Ｇ＝２×Ｗ３−Ｗ６で表せる。
【００３８】
実際は、ウォブルの振り幅Ｗ１はトラックピッチＰの半分より大きければよく、一部露光面が重なるようにすればカッティング時の誤差を吸収することができ、例えば重なり領域の幅（のりしろ）をＷ５とすると、カッティング時のマージンが増えトラックピッチＰ＝２×Ｗ１−Ｗ５となる。
【００３９】
従来の方法では、発光のオン／オフで記録を行っているために、ピット長によりピット形状（幅）が変化してしまうが、本発明の記録方式を用いれば、常時発光モードで記録するため一定のランド幅で形成できるばかりでなく、前述したように単にランド幅はトラックピッチＰとウォブルの振り幅Ｗ３により決まることから、光学定数によらず限りなく小さくすることが可能になる。
【００４０】
幅だけでなく、長さにおいても最小長は光学定数によらず変調周波数とカッティング線速による相対速度による制約を受けるだけであり、任意の長さのランドが形成可能である。
【００４１】
なお、いわゆるＲＯＭ型の光ディスクとの互換は、レプリカにより凸凹面を反転すればよく、問題はない。
【００４２】
また、ここでは光ディスク原盤作成を例に説明してきたが、相変化ディスクや光磁気ディスクにおいても同様の手法によって高密度記録を行うことが可能である。
【００４３】
以上のように、カッティング時にビームを半径方向にアドレス信号に応じてウォブルする量を直流（ＤＣ）的に変化させることで、任意の長さと幅のマーク（凸面）を形成することが可能である。一つの凸面をトラック方向に２分割した凸面の合成として表すことにより、マーク及びランド（非常に長いマークと考えることができる。）を任意に形成できることになる。
【００４４】
また、トラック送りを前のトラックに接するか、または一部露光面が重なるようにカッティングすれば、カッティング時の変動等を吸収し例えばシングルスパイラル状のトラックを形成することができる。
【００４５】
さらに、上記の例ではランド／グルーブ基板のランド部に凸面マーク信号を記録したが、同様にして、相対する２つのグルーブにより、マーク（凸面）でもピット（凹面）でもランド、グルーブのうちの所望の方に形成することが可能である。
【００４６】
図６は、ランド／グルーブ基板のグルーブにマーク（凸面）を形成した例を示すものである。図７は、このようにグルーブにマークを形成する場合のウォブル制御信号の一例を示すものである。
【００４７】
この場合、ウォブルの振り幅Ｗ１〜Ｗ３の他、スポットの半径方向へのシフトＷ４が必要になり、ビームの走査は２つの変調信号により決定される。
【００４８】
カッティングに際しては、制御の簡略化のためにＷ３＝０とすることが好ましい。
【００４９】
図５に示す例と同様、重なり領域（のりしろ）をＷ５，Ｗ６とすれば、トラックピッチＰに対してランドの幅Ｌ＝Ｐ−２×Ｗ３、マークの幅Ｍ＝２×Ｗ４、グルーブの幅Ｇ＝２×Ｗ３−Ｗ６、またトラックピッチＰはＰ＝２×Ｗ１−Ｗ５で表すことができる。
【００５０】
【発明の効果】
以上の説明からも明らかなように、本発明によれば、２つの露光面（凹面）の合成として凸面を形成しており、したがってランド部にもアドレスをマーク（凸面）として形成することができ、しかもカッティングの光学定数で決まる解像限界以下の情報を記録することができる。
【００５１】
また、カッティングに際しては任意の記録幅、記録長さをそれぞれ個別に設定することができ、記録長によらず一定の記録幅で記録することも可能である。
【００５２】
このようにして得られる光記録媒体においては、トラッキングにおけるオフセットを解消することが可能である。
【図面の簡単な説明】
【図１】グルーブを合成することにより形成されるマーク及びランドの形状を示す概略平面図である。
【図２】ウォブル振り幅を制御する変調信号及びそれにより形成されるグルーブ形状を示す図である。
【図３】変調回路ブロックの一例を示す図である。
【図４】ウォブル変調されたカッティング光の軌跡を示す模式図である。
【図５】シングルスパイラル状のトラック形状を示す概略平面図である。
【図６】グルーブにマークが形成された例を示す概略平面図である。
【図７】グルーブにマークを形成するためのウォブル変調信号の一例を示す図である。
【図８】従来方法で形成されるランドでのプリピット形状を示す概略平面図である。
【図９】従来方法で形成されるグルーブでのプリピット形状を示す概略平面図である。
【符号の説明】
１  ランド部、２  ピットアドレス部、３ａ，３ｂ  グルーブ
【図１】
0004106841.tif 000002
【図２】
0004106841.tif 000003
【図３】
0004106841.tif 000004
【図４】
0004106841.tif 000005
【図５】
0004106841.tif 000006
【図６】
0004106841.tif 000007
【図７】
0004106841.tif 000008
【図８】
0004106841.tif 000009
【図９】
0004106841.tif 000010